(57)【要約】【課題】落下衝撃に伴う色ずれの発生を防止することができるカラー陰極線管用パネル及びそれを用いたカラー陰極線管を提供すること。【解決手段】パネル１は、その４つのコーナー１３に、色選別電極構体２を支持するための４つの支持ピン６を有している。これら４つの支持ピン６は、略同一平面内に配置されている。４つの支持ピン６が配置された平面から変位した位置に、少なくとも一つのシフトピン９が配置されている。画面垂直方向の落下衝撃に対し、その衝撃荷重を支持ピン６とシフトピン９とで受けることにより、色選別電極構体２に回転を生じさせないようにする。【選択図】        図２
2004342387.tif 000002
【特許請求の範囲】
【請求項１】
蛍光体スクリーンを内面に備えたパネルと、前記パネル内において前記蛍光体スクリーンに対向配置された色選別電極構体とを備えたカラー陰極線管に用いられる前記パネルであって、
略矩形状の外周を有し、前記蛍光体スクリーンが形成されたフェースプレートと、
前記フェースプレートの略矩形状の外周に沿って形成された側壁と、
前記色選別電極構体を支持するため、前記側壁の内側において、略同一平面内に配置された複数の支持ピンと、
前記色選別電極構体を支持するため、前記側壁の内側において、前記平面から変位した位置に配置された少なくとも一つのシフトピンと
を備えたことを特徴とするカラー陰極線管用パネル。
【請求項２】
前記色選別電極構体の重心位置として設定される点を通り、前記フェースプレートの長辺及び短辺とそれぞれ平行な各軸線を、長軸及び短軸と定義すると、
前記複数の支持ピンが、前記長軸及び前記短軸に対して互いに略対称となるように配置された４つの支持ピンを含むことを特徴とする請求項１に記載のカラー陰極線管用パネル。
【請求項３】
前記側壁が、前記フェースプレートの長辺に平行な２つの長辺部分を有し、
前記シフトピンが、前記２つの長辺部分の少なくとも一方に設けられていることを特徴とする請求項１又は２に記載のカラー陰極線管用パネル。
【請求項４】
前記シフトピンが、前記長辺部分の長手方向中心部に配置されていることを特徴とする請求項３に記載のカラー陰極線管用パネル。
【請求項５】
２以上の前記シフトピンが、前記平面に対して互いに同じ側に同じ距離だけ変位するように配置されていることを特徴とする請求項１又は２に記載のカラー陰極線管用パネル。
【請求項６】
２つの前記シフトピンが、前記側壁のうち前記フェースプレートの長辺に平行な２つの長辺部分のそれぞれ長手方向中心部に配置されていることを特徴とする請求項５に記載のカラー陰極線管用パネル。
【請求項７】
前記４つの支持ピンが、前記側壁の４つのコーナーにそれぞれ配置されていることを特徴とする請求項２に記載のカラー陰極線管用パネル。
【請求項８】
前記４つの支持ピンが、前記側壁のうち前記フェースプレートの長辺に平行な２つの長辺部分に、各長辺部分の長手方向中心部に対して略対称となるように２つずつ配置されていることを特徴とする請求項２に記載のカラー陰極線管用パネル。
【請求項９】
前記シフトピンの前記支持ピンからの変位量が、前記色選別電極構体の重心位置のばらつき量以上に設定されていることを特徴とする請求項１から８までのいずれかに記載のカラー陰極線管用パネル。
【請求項１０】
請求項１から９までのいずれかに記載のカラー陰極線管用パネルと、
前記カラー陰極線管用パネル内に設けられ、前記支持ピン及び前記シフトピンにより支持される前記色選別電極構体と
を備えたことを特徴とするカラー陰極線管。
【発明の詳細な説明】
【０００１】
【発明の属する技術分野】
この発明は、テレビやディスプレイモニター等に使用するカラー陰極線管用パネル及びそれを用いたカラー陰極線管に関する。
【０００２】
【従来の技術】
テレビやディスプレイモニター等で用いられるカラー陰極線管は、内面に蛍光体スクリーンを備えたパネルと、このパネルに接合された略漏斗状のファンネルと、このファンネルの小径部に装着された電子銃とを備えている。パネルの内側には、蛍光体スクリーンに対向するように、電子ビーム通過孔を備えた色選別電極構体が設けられている。この色選別電極構体は、パネルの内側に設けられた４つの支持ピンに、板ばね等の弾性支持体を介して支持されている。ここでは、支持ピンと弾性支持体とを合わせて、支持機構と呼ぶ。
【０００３】
カラー陰極線管が落下による衝撃を受けた際に、支持機構が負荷を受けて変形すると、パネルに対する色選別電極構体の位置ずれを生じる可能性がある。このような場合には、蛍光体スクリーンに対する色選別電極構体の相対位置が変化することとなり、いわゆる色ずれが発生する。そのため、落下衝撃に対し、色選別電極構体の位置ずれを防止する技術の開発が求められている。最も単純な方法としては、色選別電極構体を軽量化して、支持機構にかかる衝撃荷重を小さくする方法がある。しかしながら、色選別電極構体自体は落下衝撃により変形を生じないだけの剛性を有する必要があるため、軽量化には限界がある。また、支持機構の弾性支持体の強度を高める方法もあるが、弾性支持体の厚さを増すと、それだけ色選別電極構体の重量が増加することになるため、弾性支持体の強度向上にも限界がある。
【０００４】
そこで、色選別電極構体を支持する支持ピンの数を６つに増やすことにより、支持機構にかかる衝撃荷重を軽減し、これらの変形を防止することで、色選別電極構体の位置ずれを抑制することが考えられている（例えば、特許文献１〜３参照）。
【０００５】
【特許文献１】
特開２０００−２６０３３９号公報（第１頁、第１図）
【特許文献２】
特開昭６２−２１６１３７号公報（第５頁、第１図）
【特許文献３】
特許第２９６５２５４号公報（第６頁、第２図）
【０００６】
【発明が解決しようとする課題】
ここで、４つの支持ピンを用いる従来の構造では、パネル内面に設けられた複数の支持ピンが、管軸方向に直交する略同一平面内に配置されている。このような構成では、管軸ｈ方向の落下衝撃に対して色選別電極構体の位置ずれを防止することはできるが、画面垂直方向の落下衝撃に対しては十分な位置ずれ防止効果が得られない。これは、色選別電極構体の重心が上記平面上にない場合に、当該重心にかかる画面垂直方向の衝撃荷重によって色選別電極構体に回転が生じ、その結果、支持機構が負荷を受けて変形する可能性があるためである。
【０００７】
また、上述した特許文献１〜３のように、単に支持ピンの数を６つに増やしたとしても、６つの支持ピンが略同一平面内に配置されていれば、画面垂直方向の衝撃荷重により色選別電極構体に回転が生じうることから、位置ずれを十分に抑制することは難しい。
【０００８】
この発明は、上述のような課題を解消するためになされたものであり、その目的は、落下衝撃による色選別電極構体の位置ずれを抑制し、色ずれの発生を防止することができるカラー陰極線管用パネル及びそれを用いたカラー陰極線管を提供することにある。
【０００９】
【課題を解決するための手段】
この発明にかかるカラー陰極線管用パネルは、蛍光体スクリーンを内面に備えたパネルと、前記パネル内において前記蛍光体スクリーンに対向配置された色選別電極構体とを備えたカラー陰極線管に用いられるものであり、略矩形状の外周を有し前記蛍光体スクリーンが形成されたフェースプレートと、前記フェースプレートの略矩形状の外周に沿って形成された側壁とを備えている。前記色選別電極構体を支持するため、前記側壁の内側には、複数の支持ピンが略同一平面内に設けられている。また、前記平面から変位した位置に、少なくとも一つのシフトピンが設けられている。
【００１０】
【発明の実施の形態】
以下、この発明をその実施の形態を示す図面に基づいて具体的に説明する。
実施の形態１．
図１は、実施の形態１に係る色選別電極構体を有するカラー陰極線管の基本構成を示す側断面図である。このカラー陰極線管は、略矩形状の蛍光体スクリーン４を内面に有するパネル１と、このパネル１に接合された略漏斗状のファンネル５と、このファンネル５の小径部に接合された円筒状のネック３とからなるガラスバルブ（真空外囲器）を有している。パネル１は、略矩形状の外周を有するフェースプレート１１と、このフェースプレート１１の外周に沿って形成された側壁１２とを備えている。フェースプレート１１の外面（図中左側の面）は、平面又は円筒面若しくは球面の一部をなしており、フェースプレート１１の内面（図中右側の面）には、上記の蛍光体スクリーン４が形成されている。パネル１の内側には、蛍光体スクリーン４に対向するように、色選別電極構体２が設けられている。
【００１１】
色選別電極構体２は、金属薄板に多数の電子ビーム通過孔を備えた色選別電極２１と、この色選別電極２１を支持するフレーム２２とを有している。色選別電極２１の電子ビーム通過孔は、ドット状、スロット状若しくは簾状又はこれらを適宜組み合わせたものである。ネック３の内側には、電子ビームを射出する電子銃７が装着されている。電子銃７から射出された電子ビームは、色選別電極２１の電子ビーム通過孔で色選別を受け、蛍光体スクリーン４の蛍光体に入射する。フレーム２２の電子銃７側には、電子ビームに対して外部磁界の影響が及ばないようにするための磁気シールド２３が取り付けられている。
【００１２】
以下の説明では、ガラスバルブの管軸方向をＺ方向とする。また、フェースプレート１１の長辺の方向をＸ方向とし、短辺の方向をＹ方向とする。Ｘ方向及びＹ方向は、いずれもＺ方向に対して略直交している。なお、Ｘ方向は、蛍光体スクリーン４の長手方向（すなわち、画面水平方向）と一致しており、Ｙ方向は、蛍光体スクリーン４の短手方向（すなわち、画面垂直方向）と一致している。
【００１３】
次に、パネル１内における色選別電極構体２の支持構造について説明する。図２（Ａ）は、パネル１をＺ方向（電子銃７側）から見た図であり、図２（Ｂ）及び（Ｃ）は、それぞれパネル１のＸ方向に直交する断面及びＹ方向に直交する断面を示す図である。なお、図２（Ａ）〜（Ｃ）では、パネル１のフェースプレート１１の外面及び内面はいずれも平面として示されている。また、蛍光体スクリーン４は省略されている。
【００１４】
図２（Ａ）に示すように、パネル１の側壁１２は、フェースプレート１１の長辺に沿って形成された互いに平行な一対の長辺部分１２ａ，１２ｂと、フェースプレート１１の短辺に沿って形成された互いに平行な一対の短辺部分１２ｃ，１２ｄとを有している。長辺部分１２ａ，１２ｂと短辺部分１２ｃ，１２ｄとの間には、湾曲形状を有する４つのコーナー１３が形成されている。４つのコーナー１３の内面には、色選別電極構体２を支持するための支持ピン６が、管軸に向けて突出するようにそれぞれ取り付けられている。これら４つの支持ピン６は、Ｚ方向に対して略直交する略同一平面内にそれぞれ配置されている。
【００１５】
パネル１に取り付けられる色選別電極構体２の設計上の重心は、管軸上に設定される。この設計上の重心を通りＸ方向及びＹ方向にそれぞれ平行な軸線をＸ軸及びＹ軸と定義する。Ｘ軸は、短辺部分１２ｃ，１２ｄのそれぞれの長手方向中心部を通り、Ｙ軸は、長辺部分１２ａ，１２ｂのそれぞれの長手方向中心部を通る。４つの支持ピン６は、Ｘ軸及びＹ軸に対して略対称な位置にそれぞれ配置されている。すなわち、図中右側の２つの支持ピン６と図中左側の２つの支持ピン６とは、Ｙ軸に対して互いに略対称に配置されており、図中上側の２つの支持ピン６と図中下側の２つの支持ピン６とは、Ｘ軸に対して互いに略対称に配置されている。
【００１６】
図２（Ｄ）に拡大して示すように、各支持ピン６は、外径の異なる円柱状部材である大径部６ａと小径部６ｂとを同軸且つ直列に組み合わせた形状を有しており、大径部６ａの軸方向端部がコーナー１３に固定されている。支持ピン６の小径部６ｂには、色選別電極構体２に取り付けられたバネ片よりなる弾性支持体８が係合する。
【００１７】
パネル１の長辺部分１２ａ，１２ｂのうち、下側に位置する長辺部分１２ａの内面からＹ方向内側に突出するように、シフトピン９が取り付けられている。シフトピン９は、長辺部分１２ａの長手方向中心部に配置されている。また、シフトピン９は、図２（Ｂ）及び（Ｃ）に示すように、４つの支持ピン６が配置された平面に対してＺ方向に変位した位置に配置されている。なお、ここでは、シフトピン９は、支持ピン６に対してフェースプレート１１側に変位した位置に配置されているが、反対の側（すなわちファンネル５側）に変位した位置に配置されていてもよい。このシフトピン９は、支持ピン６と略同一の形状を有しており、色選別電極構体２に設けられた弾性支持体８（図２（Ｄ））が係合するようになっている。
【００１８】
図３（Ａ）は、パネル１のＹ方向に直交する断面を示す図であり、図３（Ｂ）は、落下衝撃に対する支持ピン６及びシフトピン９の作用を模式的に示す図である。図３（Ａ）に示すように、支持ピン６及びシフトピン９は、Ｚ方向において、パネル１内に取り付けられた色選別電極構体２の重心２Ｇの両側に位置している。そのため、図３（Ｂ）に矢印Ｆで示すように、カラー陰極線管が画面垂直方向に落下した場合、色選別電極構体２の重心２Ｇにかかる衝撃荷重が支持ピン６とシフトピン９とに分散する。色選別電極構体２は、重心２ＧのＺ方向両側に位置する支持ピン６及びシフトピン９からそれぞれ反力を受けるため、回転が生じない。このように、色選別電極構体２の重心２Ｇにかかる衝撃荷重を支持ピン６及びシフトピン９により分散して受け、色選別電極構体２に回転が生じないようにすることにより、弾性支持体８や支持ピン６等の変形を抑制し、色選別電極構体２の位置ずれを防止することができる。
【００１９】
図４は、シフトピン９の支持ピン６からの変位量の設定方法を説明するための模式図である。色選別電極構体２の組み付け誤差等によるパネル１内での色選別電極構体２の重心２ＧのＺ方向におけるばらつきをＤとすると、シフトピン９の支持ピン６からのＺ方向における変位量Ｓは、当該ばらつきＤ以上の値に設定する。このように設定すれば、パネル１内において色選別電極構体２の重心２Ｇがばらついた場合でも、重心２Ｇにかかる衝撃荷重（画面垂直方向）により色選別電極構体２に回転が生じないようにすることができるからである。例えば、重心２ＧのＺ方向におけるばらつきＤを０．５ｍｍとすると、シフトピン９の上記の変位量Ｓは０．５ｍｍ以上に設定する。従って、例えば変位量Ｓを０．５ｍｍとしてもよく、あるいはマージンを考慮して１ｍｍとしてもよい。また、重心２Ｇの位置を測定した結果を元に標準偏差σを計算し、変位量Ｓを６σに設定してもよい。なお、支持ピン６及びシフトピン９の取り付け位置精度等を考慮すると、シフトピン９の支持ピン６からのＺ方向における変位量Ｓは、１．０ｍｍ以上であることが好ましい。
【００２０】
図５は、Ｙ方向に直交する面内における各ピン６，９と色選別電極構体２の重心２Ｇとの位置関係を示す図である。色選別電極構体２の重心２Ｇが、Ｘ方向及びＺ方向にばらついたとしても、各支持ピン６とシフトピン９とで形成される三角形Ｔの範囲内に位置していれば、各支持ピン６及びシフトピン９により画面垂直方向の衝撃荷重を分散して受け、色選別電極構体２に回転が生じないようにすることができる。
【００２１】
次に、この実施の形態１に対する比較例について説明する。図６は、この比較例に係るパネル１００を示す断面図である。この比較例では、パネル１００の各コーナーに設けられた４つの支持ピン１０６（図では２つのみ示す。）によって色選別電極構体１０２を支持している。これらの支持ピン１０６は、Ｚ方向に対して略直交する同一平面内に設けられている。図７（Ａ）及び（Ｂ）は、支持ピン１０６の作用を模式的に示す図である。図７（Ａ）に示すように、色選別電極構体１０２の重心１０２Ｇが、支持ピン１０６が配置された平面と同一平面内にある場合には、重心１０２Ｇにかかる衝撃荷重の作用方向に支持ピン１０６が位置しているため、色選別電極構体１０２に回転が生じることはない。しかしながら、図７（Ｂ）に示すように、色選別電極構体１０２の重心１０２Ｇが支持ピン１０６と同一平面にない場合には、重心１０２Ｇにかかる衝撃荷重により、支持ピン１０６を略中心とした回転Ｍが生じる。これにより、弾性支持体（図示せず）や支持ピン１０６が負荷を受けて変形し、色選別電極構体１０２の位置ずれを生じる可能性がある。
【００２２】
これに対し、上述した実施の形態１によれば、色選別電極構体２の重心２Ｇに対してＺ方向両側に支持ピン６とシフトピン９とを位置させることができるため、支持ピン６及びシフトピン９により衝撃荷重を分散して受け、色選別電極構体２に回転が生じないようにすることができる。これにより、色選別電極構体２の位置ずれを防止することができる。
【００２３】
以上説明したように、この実施の形態１によれば、４つの支持ピン６が配置された平面からＺ方向に変位した位置にシフトピン９を設けたため、色選別電極構体２の重心２Ｇに対してＺ方向両側に支持ピン６及びシフトピン９を位置させることができる。これにより、色選別電極構体２の重心２Ｇにかかる衝撃荷重を支持ピン６及びシフトピン９で分散して受け、色選別電極構体２に回転が生じないようにすることができる。その結果、色選別電極構体２の位置ずれを防止し、色ずれの発生を確実に防止することができる。
【００２４】
さらに、シフトピン９の支持ピン６からのＺ方向における変位量Ｓを、色選別電極構体２の重心２ＧのばらつきＤ以上に設定しているため、色選別電極構体２の組み付け誤差等に起因して重心２Ｇがばらついた場合でも、色ずれの発生を確実に防止することができる。
【００２５】
また、４つの支持ピン６がＸ軸及びＹ軸に対して略対称に配置されており、シフトピン９が長辺部分１２ａの長手方向中心部に配置されているため、画面垂直方向の衝撃荷重を各支持ピン６及びシフトピン９にほぼ均等に分散することができ、各支持ピン６及びシフトピン９の負荷を軽減し、いずれかのピン（又はそれに係合する弾性支持体）の変形による色選別電極構体２の位置ずれを防止することができる。
【００２６】
次に、この実施の形態１の変形例について説明する。図８（Ａ）は、変形例に係るパネル１ＡをＺ方向（電子銃７側）から見た図であり、図８（Ｂ）及び（Ｃ）は、それぞれパネル１ＡのＸ方向に直交する断面及びＹ方向に直交する断面を示す図である。上述した実施の形態１では、パネル１の４つのコーナーにそれぞれ支持ピン６を配置したのに対し、この変形例では、パネル１Ａの長辺部分１２ａ，１２ｂに、それぞれ支持ピン６を２つずつ配置している。４つの支持ピン６は、長辺部分１２ａ，１２ｂの長手方向中心部に対し、それぞれ略対称な位置に配置されている。すなわち、４つの支持ピン６は、実施の形態１と同様に定義したＸ軸及びＹ軸に対して略対称な位置にそれぞれ配置されている。また、第１の実施の形態と同様、シフトピン９は、長辺部分１２ａの長手方向中心部に、４つの支持ピン６が配置された平面からＺ方向に変位するように配置されている。シフトピン９の支持ピン６からのＺ方向における変位量は、色選別電極構体２における重心２ＧのＺ方向におけるばらつき量以上に設定されている。
【００２７】
この変形例においても、実施の形態１と同様、シフトピン９が、支持ピン６の配置された平面から変位した位置に配置されているため、カラー陰極線管が画面垂直方向に落下した場合に、色選別電極構体２の回転を生じさせないようにし、これにより色選別電極構体２の位置ずれを防止し、色ずれの発生を防止することができる。また、４つの支持ピン６がＸ軸及びＹ軸に対して略対称に配置されており、シフトピン９が長辺部分１２ａの長手方向中心部に配置されているため、衝撃荷重を各支持ピン６及びシフトピン９でほぼ均等に分散して受けることができる。
【００２８】
実施の形態２．
図９（Ａ）は、実施の形態２におけるパネル１ＢをＺ方向（電子銃７側）から見た図であり、図９（Ｂ）及び（Ｃ）は、それぞれパネル１ＢのＸ方向に直交する断面及びＹ方向に直交する断面を示す図である。この実施の形態２では、実施の形態１で説明した支持ピン６及びシフトピン９に加え、上側の長辺部分１２ｂにもシフトピン１０を設けたものである。このシフトピン１０は、上側の長辺部分１２ｂの長手方向中心部に配置されている。また、図９（Ｂ）及び（Ｃ）に示すように、シフトピン９，１０は、４つの支持ピン６が配置された平面に対し、Ｚ方向の同じ側（フェースパネル１１側）に変位しており、その変位量は略同一である。また、シフトピン９，１０の当該平面からのＺ方向の変位量は、色選別電極構体２における重心２ＧのＺ方向におけるばらつき量（図４）以上に設定されている。この実施の形態２に係るカラー陰極線管は、シフトピン１０を設けた点を除き、実施の形態１と同様に構成されている。
【００２９】
この実施の形態２においても、シフトピン９，１０が、支持ピン６が配置された平面からＺ方向に変位した位置に配置されるため、図９（Ｂ）及び（Ｃ）に示すように、支持ピン６とシフトピン９，１０とを、Ｚ方向において色選別電極構体２の重心２Ｇの両側に位置させることができる。そのため、カラー陰極線管が画面垂直方向に落下した場合、色選別電極構体２の重心２Ｇにかかる衝撃荷重を支持ピン６及びシフトピン９，１０により分散して受け、色選別電極構体２に回転を生じさないようにすることができる。すなわち、色選別電極構体２の位置ずれを防止し、これにより色ずれの発生を防止することができる。
【００３０】
図１０は、この実施の形態２に係るパネル１Ｂに、管軸方向の落下衝撃が加えられたときの支持ピン６及びシフトピン９，１０の作用を示す模式図である。この実施の形態２に係るパネル１Ｂでは、管軸方向の衝撃加重についても、支持ピン６及びシフトピン９，１０により分散して受けることができるため、各ピンにかかる負荷が軽減される。特に、支持ピン６がＸ軸及びＹ軸に対して略対称に配置されているのに加えて、シフトピン９，１０が長辺部分１２ａ，１２ｂの各長手方向中心部に配置されているため、各支持ピン６及びシフトピン９，１０に、衝撃荷重を均等に分散することができる。これにより、各支持ピン６及びシフトピン９，１０にかかる負荷を軽減し、各ピン及び弾性支持体８の変形に伴う色選別電極構体２の位置ずれを防止することができる。
【００３１】
以上説明したように、この実施の形態２によれば、パネル１Ｂの長辺部分１２ａ，１２ｂの各長手方向中心部にそれぞれシフトピン９，１０を設けたので、実施の形態１と同様、カラー陰極線管が画面垂直方向に落下した場合に、色選別電極構体２に回転を生じさせないようにすることができ、色選別電極構体２の位置ずれを防止することができる。さらに、カラー陰極線管が管軸方向に落下した場合に、その衝撃荷重をバランス良く分散させることができるため、支持ピン６及びシフトピン９，１０及びそれに係合する弾性支持体の負担を軽減し、これらの変形を防止することができる。
【００３２】
なお、この実施の形態２においては、シフトピン９，１０を、パネル１Ｂの長辺部分１２ａ，１２ｂの各長手方向中心部に一つずつ設けたが、Ｘ軸及びＹ軸に対して略対称に配置されるのであれば、長辺部分１２ａ，１２ｂのそれぞれに２以上のシフトピンを設けても良い。例えば、各長辺部分１２ａ，１２ｂの各長手方向中心部に対して略対称な位置に、シフトピンを２つずつ設けることが可能もある。
【００３３】
また、この実施の形態２においては、実施の形態１の変形例（図８）と同様、４つの支持ピン６を、パネル１Ｂの長辺部分１２ａ，１２ｂにそれぞれ２つずつ設けても良い。
【００３４】
上述した各実施の形態及びその変形例では、４つの支持ピン６を用いたが、４つ以上の支持ピンを用いてもよい。また、上述した各実施の形態及びその変形例では、パネル１の長辺部分１２ａ，１２ｂにシフトピン９，１０を設けたが、これに加えてパネル１の短辺部分１２ｃ，１２ｄにシフトピンを設けてもよい。
【００３５】
【発明の効果】
以上説明したように、本発明によれば、複数の支持ピンを略同一平面内に設け、この平面から変位した位置に少なくとも一つのシフトピンを設けるようにしたので、支持ピンとシフトピンとによって衝撃荷重を受け、色選別電極構体に回転を生じさせないようにすることができる。これにより、色選別電極構体が画面垂直方向の衝撃荷重を受けた場合であっても、色選別電極構体の位置ずれを抑制し、色ずれの発生を防止することができる。
【図面の簡単な説明】
【図１】本発明の実施の形態１に係るカラー陰極線管の基本構成を示す側断面図である。
【図２】本発明の実施の形態１におけるパネルを管軸方向から見た図（Ａ）、画面水平方向に対して直交する断面を示す図（Ｂ）及び画面垂直方向に対して直交する断面を示す図（Ｃ）である。
【図３】本発明の実施の形態１におけるパネルの画面垂直方向に対して直交する断面を示す図（Ａ）、及び支持ピン及びシフトピンの作用を示す模式図（Ｂ）である。
【図４】本発明の実施の形態１におけるシフトピンの支持ピンからの変位量の設定方法を説明するための模式図である。
【図５】本発明の実施の形態１における支持ピン及びシフトピンの位置と、色選別電極構体の重心位置との関係を示す図である。
【図６】本発明の実施の形態１に対する比較例に係るパネルの側断面図である。
【図７】図６に示す比較例における支持ピンによる作用を示す模式図である。
【図８】本発明の実施の形態１の変形例に係るパネルを管軸方向から見た図（Ａ）、画面水平方向に対して直交する断面を示す図（Ｂ）及び画面垂直方向に対して直交する断面を示す図（Ｃ）である。
【図９】本発明の実施の形態２に係るパネルを管軸方向から見た図（Ａ）、画面水平方向に対して直交する断面を示す図（Ｂ）及び画面垂直方向に対して直交する断面を示す図（Ｃ）である。
【図１０】本発明の実施の形態２に係るパネルに管軸方向の衝撃荷重が加わったときの支持ピン及びシフトピンの作用を示す図である。
【符号の説明】
１，１Ａ，１Ｂ  パネル、  ２  色選別電極構体、  ２Ｇ  重心、  ３  ネック、  ４  蛍光体スクリーン、  ５  ファンネル、  ６  支持ピン、  ７  電子銃、  ８  弾性支持体、  ９，１０  シフトピン、  １１  フェースプレート、１２ａ，１２ｂ  長辺部分、  １２ｃ，１２ｄ  短辺部分、  １３  コーナー。
【図１】
2004342387.tif 000003
【図２】
2004342387.tif 000004
【図３】
2004342387.tif 000005
【図４】
2004342387.tif 000006
【図５】
2004342387.tif 000007
【図６】
2004342387.tif 000008
【図７】
2004342387.tif 000009
【図８】
2004342387.tif 000010
【図９】
2004342387.tif 000011
【図１０】
2004342387.tif 000012